(57)【要約】  【課題】  引張材の周囲を長さ方向に削孔できるビット付きロッドを提供する。  【解決手段】  ＰＣ鋼線１０の周囲を長さ方向に削孔するリングビット１と、これが先端面から前側に突設された先端ロッド２とを備え、ＰＣ鋼線１０を内側に通しつつ軸線周りで行う回動及び圧入による削孔を可能とされた円筒状のビット付きロッドで、第一の円筒部材２１と第二の円筒部材２２とに分割され、両円筒部材が第一の円筒部材２１の後端側及び第二の円筒部材２２の先端側によりボールジョイント５を形成して折れ曲げ可能に連結され、両円筒部材の互いに対向する各面をそれぞれ凹状に窪ませてなる一対の凹部６が形成され、一対の凹部６内に両円筒部材を同期に回動させる小球が揺動可能に収容され、一対の凹部６が回動に拘わらずＰＣ鋼線１０により強制される折れ曲げ方向の維持が可能な大きさに設定されている。【選択図】  図１
2005232883.tif 000002
【特許請求の範囲】
【請求項１】
地盤中に埋設された引張材の周囲を長さ方向に削孔するためのビットと、このビットが先端面から前側に突出して設けられた円筒状の先端ロッドとを備え、該引張材を内側に通しながら軸線周りで行う回動及び長さ方向に行う圧入による削孔を可能とされた円筒状のビット付きロッドであって、
先端側である第一の円筒部材と後端側である第二の円筒部材とに分割され、かつ、両円筒部材が、第一の円筒部材の後端側及び第二の円筒部材の先端側によりボールジョイントを形成することで折れ曲げ可能に連結されており、
前記ボールジョイントには両円筒部材の互いに対向する各面をそれぞれ凹状に窪ませてなる一対の凹部が形成されており、この一対の凹部内に両円筒部材を同期に回動させる小球が揺動可能に収容されており、
一対の凹部が、前記回動に拘わらず引張材により強制される折れ曲げ方向の維持が可能な大きさに設定されていることを特徴とするビット付きロッド。
【請求項２】
前記先端ロッドが、その内部から内側に向けて突出し、かつ、内周全体に亘って周方向に延びる突条を有しており、この突条が、その側端部が前記引張材に当接することで引張材を前記ビットに接触させないことを可能とする位置に形成されていることを特徴とする請求項１に記載のビット付きロッド。
【請求項３】
前記突条が、前記先端面の後側近傍に設けられていることを特徴とする請求項２に記載のビット付きロッド。
【請求項４】
前記突条が、周方向に沿って回転自在に設けられていることを特徴とする請求項２又は３に記載のビット付きロッド。
【発明の詳細な説明】
【技術分野】
【０００１】
本発明は、例えば地盤中に埋設されアンカーによって定着された引張材を撤去する目的に用いられるビット付きロッドに関する。
【背景技術】
【０００２】
従来のビット付きロッドとしては、地盤中に埋設された引張材を撤去する目的に用いられるものではないが、例えばアーチ形状に湾曲した曲線に形成された円筒鋼管と、地盤を削孔するためのビットが先端面に設けられ、適宜間隔でユニバーサルジョイントを介して折れ曲げ可能に連結され、円筒鋼管内に収容されたビット付きスクリューとを備え、円筒鋼管に対応した曲線形状に形成されたレールに沿って行う圧入及び軸線周りで行う回動による削孔を可能とされたものが開示されている（例えば、特許文献１参照）。
【特許文献１】特開平１１−１５９２７４号公報  このようなビット付きロッドによれば、ユニバーサルジョイントを介して折れ曲げ可能に連結されたビット付きスクリューが曲線に形成された円筒鋼管内に収容されているので、ビット付きスクリューを曲線としての軸線周りで回動及び圧入させることが可能となり、これにより、曲線に形成されるボーリング孔を削孔することが可能となる。
【発明の開示】
【発明が解決しようとする課題】
【０００３】
ところで、近年における建設工事の複雑化、高度化に伴い、例えば地盤中に埋設された引張材としての引張材を撤去する工事を行うニーズが増してきており、その際、引張材の周囲を長さ方向に削孔することで引張材と周辺地盤との縁を切ることが必要とされ、そのためには、引張材を内側に通しながら軸線周りで回動及び圧入を行うことが必要とされる。
【０００４】
しかしながら、従来のビット付きロッドでは、円筒鋼管内にビット付きスクリューその他の複雑な装置機構が収容されているので、引張材を内側に通しながら軸線周りで回動及び圧入を行うことが事実上相当に困難となり、引張材の周囲を長さ方向に削孔することは殆ど不可能である。
【０００５】
また、地盤中に引張材を埋設する場合、地盤中に引張材を送り出すためのボーリング孔を削孔することになるが、その際、ビット付きロッドの先端面が不可避的に玉石や砂礫などに当たってしまい、ボーリング孔が蛇行・屈曲することとなる。その結果、引張材が地盤中で変則的に蛇行・屈曲する曲線として埋設されていることも多い。
そのため、地盤中での引張材の蛇行・屈曲の度合いをあらかじめ予測することは不可能であり、円筒鋼管によりあらかじめ曲線の線形が決まってしまう従来のビット付きロッドによってこの種の引張材撤去工事に対応することは無理である。
なお、地盤中での引張材の蛇行・屈曲の度合いを予測して、これを平面的に内包するような大口径のビット付きロッドを用いてボーリング孔を削孔することは、設備機械の費用が膨大化することや、予測が必ず的中するとはいえないことに照らすと、殆ど考えられない。例えばボーリング鉛直精度は一般的なφ１３５ｍｍ口径で概ね１００分の１程度であるので、５０ｍのボーリングでは、中心よりも０．５ｍのズレがあることとなり、この曲がりを平面的に内包するには直径１ｍのボーリング孔が必要となったという経験的事実も報告されている。
そこで、本発明の課題は、引張材の撤去に関する信頼性及び安定性の向上効果が十分に得られるように、引張材が地盤中に変則的に蛇行・屈曲する曲線として埋設されている場合でも、引張材の周囲を長さ方向に削孔できるビット付きロッドを提供することにある。
【課題を解決するための手段】
【０００６】
上記課題を解決するため、本発明に係るビット付きロッドは、地盤中に埋設された引張材の周囲を長さ方向に削孔するためのビットと、このビットが先端面から前側に突出して設けられた円筒状の先端ロッドとを備え、引張材を内側に通しながら軸線周りで行う回動及び長さ方向に行う圧入による削孔を可能とされた円筒状のビット付きロッドであって、先端側である第一の円筒部材と後端側である第二の円筒部材とに分割され、かつ、両円筒部材が、第一の円筒部材の後端側及び第二の円筒部材の先端側によりボールジョイントを形成することで折れ曲げ可能に連結されており、ボールジョイントには両円筒部材の互いに対向する各面をそれぞれ凹状に窪ませてなる一対の凹部が形成されており、この一対の凹部内に両円筒部材を同期に回動させる小球が揺動可能に収容されており、一対の凹部が、回動に拘わらず引張材により強制される折れ曲げ方向の維持が可能な大きさに設定されていることを特徴としている。
【０００７】
このようなビット付きロッドによれば、引張材による折れ曲げ方向を維持させる技術的手段としてボールジョイント、一対の凹部及び小球を備えたので、引張材が地盤中に変則的に蛇行・屈曲する曲線として埋設されている場合でも、かかる変則的な曲線に追従しながら引張材の周囲を長さ方向に削孔できる。
【０００８】
したがって、これによれば、引張材の撤去に関する信頼性及び安定性の向上効果が十分に得られることが可能となる。
【０００９】
ここで、引張材が高速回転するビットに接触して切断される事態を有効に回避することとして、引張材の撤去に関する信頼性及び安定性の向上効果を担保しようとする観点からすれば、先端ロッドが、その内部から内側に向けて突出し、かつ、内周全体に亘って周方向に延びる突条を有しており、この突条が、その側端部が引張材に当接することで引張材をビットに接触させないことを可能とする位置に形成されていることが好ましい。
【００１０】
また、引張材をビットに当接させない突条の機能がより確実に得られるようにして、引張材の撤去に関する信頼性及び安定性の向上効果を担保しようとする観点からすれば、突条が、先端面の後側近傍に設けられていることが好ましい。
【００１１】
さらに、突条の引張材に対する摺動が円滑に行われないことで引張材が傷つけられる危険性を回避するようにして、引張材の撤去に関する信頼性及び安定性の向上効果を担保しようとする観点からすれば、突条が、周方向に沿って回転自在に設けられていることが好ましい。
【発明の効果】
【００１２】
本発明に係るビット付きロッドによれば、ＰＣ鋼線の撤去に関する信頼性及び安定性の向上効果が十分に得られることとなる。
【発明を実施するための最良の形態】
【００１３】
以下、添付図面に基づいて本発明の実施の形態を詳細に説明する。
なお、ここでは、引張材がアンカーによって定着されている場合について説明するが、これに限られるものではなく、引張材がアンカーによって定着されていない場合その他の場合でも、以下の説明が妥当する。
【００１４】
図１は本発明の一実施の形態に係るビット付きロッドの全体構成を示す断面図、図２は同ビット付きロッドの部分構成を示す斜視図、図３は同ビット付きロッドの作用を説明する断面図である。
【００１５】
本実施の形態において、ビット付きロッドは、地盤中に埋設された引張材としてのＰＣ鋼線を撤去する目的に用いられるものとして構成されている。
具体的には、このビット付きロッドは、地盤中に埋設されたＰＣ鋼線の周囲を長さ方向に削孔する役割を果たすものとして構成されている。
【００１６】
そして、このビット付きロッドは、図１に示すように、ビットたるリングビット１と、リングビットを先端面に設けた先端ロッド２と、先端ロッド２に後続する後続ロッド３と、突条たるセンター保持リング４と、ボールジョイント５と、一対の凹部６と、小球たる小鋼球７とを備えたものとして構成されている。
【００１７】
以下、これらの各構成要素についてさらに詳細に説明する。
【００１８】
（１）リングビット１
リングビット１は、図１及び図２に示すように、地盤中に埋設されたＰＣ鋼線１０の周囲を長さ方向に削孔する目的に用いられるものとして構成されている。
【００１９】
そして、このリングビット１は、これらの図に示すように、リング形状に形成されたものとして構成されており、ＰＣ鋼線１０を内側に通すことが可能とされている。
【００２０】
具体的には、リングビット１は、先端ロッド２の先端面に対して軸線周りで回転不能に固着されたものとして構成されている。
【００２１】
ここで、先端面に対するリングビット１の取り付け位置は、通常のボーリングで用いられるリングビット１の取り付け位置と異なるところがない。すなわち、リングビット１は、その内側端部が先端面の内側端部に位置するようにして又はその内側端部が先端面の内側端部から僅かに引っ込むようにして先端面に固着されている。
【００２２】
（２）先端ロッド２
先端ロッド２は、図１及び図２に示すように、円筒形状に形成されたものとして構成されており、ＰＣ鋼線１０を内側に通すことが可能とされている。
【００２３】
具体的には、この先端ロッド２は、これらの図に示すように、その先端面から前側に突出して設けられたリングビット１及びその後端部に対して接続された後続ロッド３を一体に有するものとして構成されている。
【００２４】
すなわち、このような先端ロッド２によれば、リングビット１及び後続ロッド３と同期に軸線周りで行う回転動作が可能となっており、かつ、リングビット１及び後続ロッド３とともに長さ方向に行う圧入動作が可能となっている。
【００２５】
ここで、これらの回転動作及び圧入動作は、これらの図に示すように、ＰＣ鋼線１０を内側に通しながら行うことを可能とされている。また、これらの回転動作及び圧入動作は、地盤上に設置したボーリングマシン（図示外）が後続ロッド３を把持しながら行うことが可能とされている。
【００２６】
つまり、これらの回転動作及び圧入動作を先端ロッド２がリングビット１及び後続ロッド３とともに行うことにより、地盤中に埋設されたＰＣ鋼線１０の周囲を長さ方向に削孔することが可能となっている。
【００２７】
ここで、先端ロッド２は、これらの図に示すように、先端側である第一の円筒部材２１と後端側である第二の円筒部材２２とに分割されている。
【００２８】
これにより、折れ曲げ可能な連結手段としてのボールジョイント５を形成することが可能となっており、その結果、ＰＣ鋼線１０による折れ曲げ方向を維持させる技術的手段を構成することが可能となっている。
【００２９】
（３）後続ロッド３
後続ロッド３は、図１に示すように、円筒形状に形成されたものとして構成されており、ＰＣ鋼線１０を内側に通すことが可能とされている。
【００３０】
具体的には、この後続ロッド３は、先端ロッド２の後端部に対して軸線周りで回転不能に接続されたものとして構成されている。
後続ロッド３は、同図に示すように、その先端部から延出するようにして設けられた先端ロッド２及び先端ロッド２の先端面から前側に突出して設けられたリングビット１を一体に有するものとして構成されている。
【００３１】
すなわち、このような後続ロッド３によれば、先端ロッド２及びリングビット１と同期に軸線周りで行う回転動作が可能となっており、かつ、先端ロッド２及びリングビット１とともに長さ方向に行う圧入動作が可能となっている。
【００３２】
ここで、これらの回転動作及び圧入動作は、これらの図に示すように、ＰＣ鋼線１０を内側に通しながら行うことを可能とされている。また、これらの回転動作及び圧入動作は、地盤上に設置したボーリングマシン（図示外）が後続ロッド３を把持しながら行うことが可能とされている。
【００３３】
つまり、これらの回転動作及び圧入動作を後続ロッド３が先端ロッド２及びリングビット１とともに行うことにより、地盤中に埋設されたＰＣ鋼線１０の周囲を長さ方向に削孔することが可能となっている。
（４）センター保持リング４
センター保持リング４は、図１及び図２に示すように、先端ロッド２の内部から内側に向けて突出し、かつ、内周全体に亘って周方向に延びるものとして構成されている。
【００３４】
ここで、センター保持リング４は、その側端部がＰＣ鋼線１０に当接することでＰＣ鋼線１０をリングビット１に接触させないことを可能とする位置に形成されている。
【００３５】
これにより、ＰＣ鋼線１０が高速回転するリングビット１に接触して切断される事態を有効に回避することが可能となっており、その結果、ＰＣ鋼線１０の撤去に関する信頼性及び安定性の向上効果を担保することが可能となっている。
【００３６】
また、センター保持リング４が、これらの図に示すように、先端面の後側近傍に設けられている。
【００３７】
これにより、ＰＣ鋼線１０をリングビット１に当接させないセンター保持リング４の機能がより確実に得られることが可能となっており、その結果、ＰＣ鋼線１０の撤去に関する信頼性及び安定性の向上効果を担保することが可能となっている。
【００３８】
さらに、センター保持リング４が、図示しないが、周方向に沿って回転自在に設けられている。
【００３９】
これにより、センター保持リング４のＰＣ鋼線１０に対する摺動が円滑に行われないことでＰＣ鋼線１０が傷つけられる危険性を回避することが可能となっており、その結果、ＰＣ鋼線１０の撤去に関する信頼性及び安定性の向上効果を担保することが可能となっている。
（５）ボールジョイント５
ボールジョイント５は、図１及び図２に示すように、第一の円筒部材２１の後端側及び第二の円筒部材２２の先端側により形成されるものとして構成されている。
【００４０】
すなわち、このようなボールジョイント５によれば、第一の円筒部材２１及び第二の円筒部材２２を折れ曲げ可能に連結することが可能となっている。また、このようなボールジョイント５によれば、一対の凹部６及び小鋼球７とともに機能を発揮することにより、本ロッドの回動に拘わらずＰＣ鋼線１０により強制される折れ曲げ方向を維持することが可能となっている。
（６）一対の凹部６
一対の凹部６は、図１及び図２に示すように、第一の円筒部材２１及び第二の円筒部材２２の互いに対向する各面をそれぞれ凹状に窪ませてなるものとして構成されており、ボールジョイント５において形成されている。
【００４１】
ここで、一対の凹部６は、本ロッドの回動に拘わらずＰＣ鋼線１０により強制される折れ曲げ方向の維持が可能な大きさに設定されている（図３参照）。
【００４２】
すなわち、このような一対の凹部６によれば、ボールジョイント５及び小鋼球７とともに機能を発揮することにより、本ロッドの回動に拘わらずＰＣ鋼線１０により強制される折れ曲げ方向を維持することが可能となっており、その結果、変則的に蛇行・屈曲する曲線に追従しながらＰＣ鋼線１０の周囲を長さ方向に削孔することが可能となっている。
（７）小鋼球７
小鋼球７は、第一の円筒部材２１及び第二の円筒部材２２を同期に回動させる役割を果たすものとして構成されており、図２及び図３に示すように、一対の凹部６内に揺動可能に収容されている。
【００４３】
すなわち、このような小鋼球７によれば、ボールジョイント５及び一対の凹部６とともに機能を発揮することにより、本ロッドの回動に拘わらずＰＣ鋼線１０により強制される折れ曲げ方向を維持することが可能となっており、その結果、変則的に蛇行・屈曲する曲線に追従しながらＰＣ鋼線１０の周囲を長さ方向に削孔することが可能となっている。
【００４４】
すなわち、本実施の形態におけるビット付きロッドによれば、ＰＣ鋼線１０による折れ曲げ方向を維持させる技術的手段としてボールジョイント５、一対の凹部６及び小鋼球７を備えたものとして構成されている。
【００４５】
したがって、このようなビット付きロッドによれば、ＰＣ鋼線１０が地盤中に変則的に蛇行・屈曲する曲線として埋設されている場合でも、本ロッドの回動に拘わらずＰＣ鋼線１０により強制される折れ曲げ方向を維持することが可能となっており、かかる変則的な曲線に追従しながらＰＣ鋼線１０の周囲を長さ方向に削孔することが可能となっている。
【００４６】
よって、これによれば、ＰＣ鋼線１０の撤去に関する信頼性及び安定性の向上効果が十分に得られることが可能となっている。
【図面の簡単な説明】
【００４７】
【図１】本発明の一実施の形態に係るビット付きロッドの全体構成を示す断面図である。
【図２】本発明の一実施の形態に係るビット付きロッドの部分構成を示す斜視図である。
【図３】本発明の一実施の形態に係るビット付きロッドの作用を説明する断面図である。
【符号の説明】
【００４８】
１ リングビット
２ 先端ロッド
３ 後続ロッド
４ センター保持リング
５ ボールジョイント
６ 一対の凹部
７ 小鋼球
１０ ＰＣ鋼線
２１ 第一の円筒部材
２２ 第二の円筒部材
【図１】
2005232883.tif 000003
【図２】
2005232883.tif 000004
【図３】
2005232883.tif 000005